(57)【要約】【課題】モータの回転を急速に停止させることができるモータを提供する。【解決手段】モータの回転子１６に円板状のブラシホルダ３０が取り付けられ、ブラシホルダ３０に凹部３２が設けられ、凹部３２にコイル状のスプリング３４を介してブラシ３６が配され、ブラシ３６がモータフレーム１２にスプリング３４によって押圧され、スプリング３４の押圧力が定速回転時のモータトルクより小さく、回転停止時のモータトルクより大きいものである。【選択図】      図１
2006033996.tif 000002
【特許請求の範囲】
【請求項１】
モータの回転軸に円板状のブラシホルダーが取り付けられ、
前記ブラシホルダーに少なくとも１個の凹部が設けられ、
前記凹部にコイル状のスプリングを介してブラシが配され、
前記ブラシがモータ構造体の内側に前記スプリングによって押圧され、
前記スプリングの押圧力が定速回転時のモータトルクより小さく、回転停止時のモータトルクより大きい
ことを特徴とするモータ。
【請求項２】
前記モータ構造体が、鋼板製のモータフレームである
ことを特徴とする請求項１記載のモータ。
【請求項３】
前記モータ構造体が、アルミニウム製のモータフレームである
ことを特徴とする請求項１記載のモータ。
【請求項４】
前記モータ構造体が、モールド樹脂製のモータフレームである
ことを特徴とする請求項１記載のモータ。
【請求項５】
前記モータが、カーテン開閉装置におけるカーテンの巻取り軸を回転させるモータである
ことを特徴とする請求項１記載のモータ。
【発明の詳細な説明】
【技術分野】
【０００１】
本発明は、回転の停止を直ちに行うことができるモータに関するものである。
【背景技術】
【０００２】
従来より、ビニールハウスやガラスハウス等の遮光による作物の障害回避、冷暖房の効率化を意図して、これらハウスの壁にはカーテンが設けられている。このカーテンの開閉のために、従来よりカーテンの巻取り軸をモータによって回転させ、カーテンの開閉を行うカーテン開閉装置が提案されている（例えば、特許文献１参照）。
【特許文献１】特開２００３−２９９４１７公報
【発明の開示】
【発明が解決しようとする課題】
【０００３】
上記のようなカーテン開閉装置に用いられているモータは、カーテンの開閉位置を所定の位置に停止させるために、モータは所定の角度位置で停止させる必要がある。しかしながら、モータの回転停止時には慣性力が働き、所定の位置で停止させることが難しい。また、従来よりその所定の位置で停止させるモータも提案されているが、その構造は複雑で高価になるという問題点がある。
【０００４】
そこで、本発明は上記問題点に鑑み、モータの回転位置を所定の位置で簡単に停止させることができるモータを提供する。
【課題を解決するための手段】
【０００５】
請求項１に係る発明は、モータの回転軸に円板状のブラシホルダーが取り付けられ、前記ブラシホルダーに少なくとも１個の凹部が設けられ、前記凹部にコイル状のスプリングを介してブラシが配され、前記ブラシがモータ構造体の内側に前記スプリングによって押圧され、前記スプリングの押圧力が定速回転時のモータトルクより小さく、回転停止時のモータトルクより大きいことを特徴とするモータである。
【０００６】
請求項２に係る発明は、前記モータ構造体が、鋼板製のモータフレームであることを特徴とする請求項１記載のモーである。
【０００７】
請求項３に係る発明は、前記モータ構造体が、アルミニウム製のモータフレームであることを特徴とする請求項１記載のモータである。
【０００８】
請求項４に係る発明は、前記モータ構造体が、モールド樹脂製のモータフレームであることを特徴とする請求項１記載のモータである。
【０００９】
請求項５に係る発明は、前記モータが、カーテン開閉装置におけるカーテンの巻取り軸を回転させるモータであることを特徴とする請求項１記載のモータである。
【発明の効果】
【００１０】
請求項１に係る発明のモータであると、スプリングの押圧力が定速回転時のモータトルクより小さく、回転停止時のモータトルクより大きいため、モータの回転が停止しようとするとスプリングの押圧力によってブラシがモータフレーム等のモータ構造体を押圧し、モータの回転を直ちに停止させることができる。
【００１１】
また、この停止させる構造は円板状のブラシホルダーにスプリングを介してブラシを取り付けるだけであるため、その構造が簡単である。
【発明を実施するための最良の形態】
【００１２】
以下、本発明の一実施形態のモータ１０について図１及び図２に基づいて説明する。このモータ１０は、誘導モータであってカーテン開閉装置に取り付けられ、ハウスのカーテンを巻き上げ、巻き取るための巻き取り軸を回転させるものであり、ギヤードボックスを介して巻き取り軸と連結されている。
【００１３】
（１）モータ１０の構造
モータ１０は、鋼板製のモータフレーム１２内部に、固定子１４と回転子１６が配されている。
【００１４】
モータフレーム１２は、カップ状の第１フレーム１８と同じくカップ状の第２フレーム２０を合わせたものであり、これら第１フレーム１８，第２フレーム２０内部に、リング状の固定子１４が配されている。
【００１５】
回転子１６は、回転軸２２に回転子鉄心２４が取り付けられ、ベアリング２６，２８によって、モータフレーム１２に対し回転自在に配されている。
【００１６】
回転軸２２の出力側には、円板状の合成樹脂製のブラシホルダ３０が、取り付けられている。ブラシホルダ３０には、図２に示すように４個の凹部３２が設けられ、これら凹部３２は９０°毎に等間隔に設けられている。各凹部３２には、コイル状のスプリング３４を介して円柱状の合成樹脂製のブラシ３６が取り付けられている。回転子１６をモータフレーム１２に収納した場合には、このブラシ３６は、モータフレーム１２の内側に押圧される。
【００１７】
（２）モータ１０の回転状態
モータ１０を回転させると、回転子１６が起動し、この場合にブラシ３６はスプリング３４によってモータフレーム１２に押しつけられているが、モータトルクの方が上回るため、この押圧力に反して回転子１６が回転する。
【００１８】
モータ１０が、定速回転になった場合に、このスプリング３４の押圧力に反して回転子１６は回転を続ける。
【００１９】
モータ１０の回転を停止する信号が出力されると、モータトルクが減少し、スプリング３４の押圧力と釣合いさらにスプリング３４の押圧力がモータトルクを上回ったときに、回転軸２２はそのブラシ３６の押圧力により急速に停止する。
【００２０】
上記のようにモータ１０の回転を停止させる場合に、ブラシ３６の押圧力によってその回転が急速に停止するため、ハウスのカーテンを巻き上げ、または巻き降ろしした場合に、所定の位置でカーテンを停止させることができる。
【００２１】
（変更例）
本発明は上記各実施形態に限らず、その主旨を逸脱しない限り種々に変更することができる。
【００２２】
（１）変更例１
上記実施形態のモータ１０のモータフレーム１２は、鋼板製であったが、アルミニウム製であってもよい。
【００２３】
また、モータフレーム１２は、鋼板製でなくモールド樹脂によって固定子１４を一体に成形してもよい。こり場合にブラシ３６はそのモールド樹脂によって形成されたモータフレーム１２に押圧すればよい。
【００２４】
（２）変更例１
ブラシを押しつけるモータ構造体としては、モータフレーム以外に、ベアリングを取り付けるブラケット等でもよい。
【００２５】
（３）変更例２
上記実施形態ではモータ１０は誘導モータであったが、これ以外のブラシレスＤＣモータや同期モータであってもよい。
【００２６】
（４）変更例３
上記実施形態では、ブラシ３６をブラシホルダ３０に４個設けたが、これに代えて１個、２個、３個、または５個以上であってもよい。このブラシ３６の数は押圧する力によって変化させればよく、押圧力が強い程にブラシ３６の数を増加させればよい。
【産業上の利用可能性】
【００２７】
本発明のモータは、カーテンの巻き取り装置等に好適である。
【図面の簡単な説明】
【００２８】
【図１】本発明の一実施形態を示すモータの半縦断面図である。
【図２】ブラシホルダの平面図である。
【符号の説明】
【００２９】
１０  モータ
１２  モータフレーム
１４  固定子
１６  回転子
１８  第１フレーム
２０  第２フレーム
２２  回転軸
２４  回転子鉄心
２６  ベアリング
２８  ベアリング
３０  ブラシホルダ
３２  凹部
３４  スプリング
３６  ブラシ
【図１】
2006033996.tif 000003
【図２】
2006033996.tif 000004